(57)【要約】【課題】装置本体の寸法増加を防止しつつ、用紙を載置する載置部を適切に位置決めすることのできる記録装置を提供する。【解決手段】プリンター１は、記録用紙Ｐに記録を行う記録手段としての記録ヘッド２０を収容する筐体２と、筐体２に対してスライド可能に設けられた、記録用紙Ｐを載置可能な媒体載置部としての用紙カセット２５と、を備えている。また筐体２を構成する下部筐体４６に設けられ、用紙カセット２５を収容可能な収容部２ａと、収容部２ａに設けられ、用紙カセット２５のスライド方向（ｙ方向）と交差する方向（ｘ方向）の位置を規制する位置規制部としてのストッパー４６ｃと、用紙カセット２５に設けられ、ストッパー４６ｃに対して弾性をもって当接可能な当接部４２ｂとを備えている。【選択図】図１５
2015147670.tif 000002
【特許請求の範囲】
【請求項１】
媒体に記録を行う記録手段と、
前記記録手段を収容する筐体と、
前記筐体に対してスライド可能に設けられ、前記媒体を載置可能な媒体載置部と、
前記筐体に設けられ、前記媒体載置部を収容可能な収容部と、
前記収容部に設けられ、前記媒体載置部の水平面においてスライド方向と交差する方向の位置を規制する位置規制部と、
前記媒体載置部における底部に設けられ、前記位置規制部に対して弾性をもって当接可能な当接部と、
を備えた記録装置。
【請求項２】
請求項１に記載の記録装置において、前記当接部は、前記媒体載置部において、前記位置規制部から反力を受ける方向の端部に設けられている、
ことを特徴とする記録装置。
【請求項３】
請求項１または請求項２に記載の記録装置において、前記当接部が前記位置規制部から反力を受ける方向に前記媒体載置部を押圧する押圧手段を前記収容部に備える、
ことを特徴とする記録装置。
【請求項４】
請求項１から請求項３のいずれか一項に記載の記録装置において、前記当接部は、前記媒体載置部に固定される、弾性変形可能な弾性部材により構成される、
ことを特徴とする記録装置。
【請求項５】
請求項４に記載の記録装置において、前記弾性部材は、前記媒体載置部の底面側に前記当接部を備えるとともに、前記媒体載置部の高さ方向において前記当接部が設けられた位置より高い位置において前記媒体載置部に固定される被固定部を有し、
前記被固定部と前記当接部との間の前記弾性部材の弾性変形により、前記当接部が前記位置規制部に対して弾性をもって当接する、
ことを特徴とする記録装置。
【請求項６】
請求項４または請求項５に記載の記録装置において、前記弾性部材は、前記媒体載置部を前記収容部に収容する際に前記当接部を前記位置規制部に案内する案内斜面を有する、
ことを特徴とする記録装置。
【発明の詳細な説明】
【技術分野】
【０００１】
本発明は、ファクシミリやプリンターに代表される記録装置に関する。
【背景技術】
【０００２】
ファクシミリやプリンター等に代表される記録装置には、媒体としての記録用紙を収容する用紙カセットが、装置の筐体に対して着脱可能に（スライド可能に）設けられるものがある。用紙カセットの装着位置は用紙に対する画像の記録位置に影響を与える為、適切に管理することが好ましく、特許文献１には、カセット装着状態において付勢手段によってカセットを基準位置側に付勢する機構を備えた画像形成装置が開示されている。
【先行技術文献】
【特許文献】
【０００３】
【特許文献１】特開平０６−２６３２６０号公報
【発明の概要】
【発明が解決しようとする課題】
【０００４】
特許文献１記載の画像形成装置では、カセットを基準位置側に付勢する付勢手段を画像形成装置本体に設けていることから、画像形成装置本体において上記付勢手段を設ける為のスペースが必要となり、特に装置の横幅が増加してしまうという問題がある。
【０００５】
そこで本発明はこの様な状況に鑑みなされたものであり、その目的は、装置本体の寸法増加を防止しつつ、用紙を載置する載置部を適切に位置決めすることのできる記録装置を提供することにある。
【課題を解決するための手段】
【０００６】
上記課題を解決する為の、本発明の第１の態様に係る記録装置は、媒体に記録を行う記録手段と、前記記録手段を収容する筐体と、前記筐体に対してスライド可能に設けられ、前記媒体を載置可能な媒体載置部と、前記筐体に設けられ、前記媒体載置部を収容可能な収容部と、前記収容部に設けられ、前記媒体載置部の水平面においてスライド方向と交差する方向の位置を規制する位置規制部と、前記媒体載置部における底部に設けられ、前記位置規制部に対して弾性をもって当接可能な当接部とを備えたことを特徴とする。
【０００７】
本態様によれば、前記媒体収容部を収容する収容部に設けられた位置規制部に弾性を持って当接可能な当接部が、前記媒体載置部における底部に設けられているので、前記筐体の側に、前記媒体載置部を付勢する手段を設ける必要がなく、従って装置本体の寸法増加を防止しつつ、前記媒体載置部を適切に位置決めすることができる。
【０００８】
本発明の第２の態様は、第１の態様において、前記当接部は、前記媒体載置部において、前記位置規制部から反力を受ける方向の端部に設けられていることを特徴とする。
【０００９】
本態様によれば、前記当接部は、前記媒体載置部において、前記位置規制部から反力を受ける方向の端部に設けられているので、前記収容部において前記媒体載置部を寄せる側面と、前記当接部との距離を短くすることができる。従って前記収容部において前記媒体載置部を寄せる側面と前記位置規制部との距離も短くすることができ、部品の精度を容易に確保することができる。また、前記当接部に要求される弾性力を低く抑えることができ、前記当接部のコストダウンに資すことができる。
【００１０】
本発明の第３の態様は、第１のまたは第２の態様において、前記当接部が前記位置規制部から反力を受ける方向に前記媒体載置部を押圧する押圧手段を前記収容部に備えることを特徴とする。
【００１１】
本態様によれば、前記位置規制部と前記当接部とによる前記媒体載置部の規制に加え、前記押圧手段による前記媒体載置部の規制が加わることとなる為、前記媒体載置部をより確実に所定方向に位置決めすることができる。
【００１２】
本発明の第４の態様は、第１から第３の態様のいずれかにおいて、前記当接部は、前記媒体載置部に固定される、弾性変形可能な弾性部材により構成されることを特徴とする。
【００１３】
本態様によれば、前記当接部は、前記媒体載置部に固定される、弾性変形可能な弾性部材により構成されるので、前記当接部を、構造簡単にして低コストに構成することができる。
【００１４】
本発明の第５の態様は、第４の態様において、前記弾性部材は、前記媒体載置部の底面側に前記当接部を備えるとともに、前記媒体載置部の高さ方向において前記当接部が設けられた位置より高い位置において前記媒体載置部に固定される被固定部を有し、前記被固定部と前記当接部との間の前記弾性部材の弾性変形により、前記当接部が前記位置規制部に対して弾性をもって当接することを特徴とする。
【００１５】
本態様によれば、前記媒体載置部の高さ方向における前記弾性部材の弾性変形を利用するので、媒体の平面方向における前記弾性部材の大型化を防止できる。
【００１６】
本発明の第６の態様は、第４のまたは第５の態様において、前記弾性部材は、前記媒体載置部を前記収容部に収容する際に前記当接部を前記位置規制部に案内する案内斜面を有することを特徴とする。
【００１７】
本態様によれば、前記弾性部材は、前記媒体載置部を前記収容部に収容する際に前記当接部を前記位置規制部に案内する案内斜面を有するので、前記媒体載置部を前記収容部に収容する際に、引っ掛かりなく円滑に収容することができる。
【図面の簡単な説明】
【００１８】
【図１】本発明に係るプリンターの外観斜視図。
【図２】本発明に係るプリンターの用紙搬送経路を示す側断面図。
【図３】本発明に係るプリンターの用紙搬送経路を示す側断面図。
【図４】本発明に係る用紙カセットを表側から見た斜視図。
【図５】本発明に係る用紙カセットを裏側から見た斜視図。
【図６】収容部手前の斜視図。
【図７】収容部左側壁の斜視図。
【図８】収容部右側壁の斜視図。
【図９】下部筐体に対し用紙カセットを装着した状態の平面図。
【図１０】図９のＤ−Ｄ断面において用紙カセットを取り外す途中の状態の図。
【図１１】図９のＥ−Ｅ断面図。
【図１２】当接部を含む用紙カセット裏側の斜視図。
【図１３】図１２の部分拡大斜視図。
【図１４】当接部をｙ−ｚ平面で切断した断面斜視図。
【図１５】当接部をｘ−ｙ平面で切断した断面図。
【発明を実施するための形態】
【００１９】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２０】
図１は本発明に係る「記録装置」の一実施形態であるインクジェットプリンター（以下「プリンター」と言う）１の外観斜視図、図２及び図３はプリンター１の用紙搬送経路を示す側断面図、図４は本発明の一実施形態に係る媒体載置部としての用紙カセット２５を表側から見た斜視図、図５は用紙カセット２５を裏側から見た斜視図である。
【００２１】
また図６は用紙カセット２５を収容する収容部２ａ手前の斜視図、図７は収容部２ａ左側壁の斜視図、図８は収容部２ａ右側壁の斜視図、図９は下部筐体４６に対し用紙カセット２５を装着した状態、図１０は図１９のＤ−Ｄ断面図において用紙カセットを取り外す途中の状態の図、図１１は図１９のＥ−Ｅ断面図である。また、図１２は当接部４２ｂを含む用紙カセット２５裏側の斜視図、図１３は図１２の部分拡大斜視図、図１４は当接部４２ｂをｙ−ｚ平面で切断した断面斜視図、図１５は当接部４２ｂをｘ−ｙ平面で切断した断面図である。
【００２２】
尚、各図に示すｘ−ｙ−ｚ直交座標系は、ｘ方向及びｙ方向が水平方向であり、このうちｘ方向は用紙幅方向であり、また装置左右方向であり、またカセットスライド方向と直交する方向でもある。またｙ方向は用紙搬送方向であり、また装置奥行き方向であり、カセットスライド方向でもある。更に、ｚ方向は重力方向であり、装置高さ方向でもある。尚、用紙カセット２５を示す図におけるｘ−ｙ−ｚ座標系は、用紙カセット２５がプリンター１に装着された際の各方向に対応している。
【００２３】
以下、主として図１及び図２を参照しつつプリンター１の全体構成について概説する。プリンター１は、媒体の一例としての記録用紙Ｐにインクジェット記録を行う装置本体（不図示）が筐体２により覆われている。装置下部には、複数枚の記録用紙Ｐを収容する（載置する）媒体載置部としての用紙カセット２５が着脱可能に（スライド可能に）設けられ、この用紙カセット２５から、記録用紙Ｐを１枚ずつ給送する。用紙カセット２５は、図２及び図３の右側から左側に向かって（ｙ−方向に）装着され、図２及び図３の左側から右側に向かって（ｙ＋方向に）引き抜かれる。
【００２４】
図２及び図３において、プリンター１は不図示の動力源（モーター）によって回転駆動される第１給送ローラー８と第２給送ローラー９とを備えており、用紙カセット２５が装着された状態において、当該用紙カセット２５の先端（図２及び図３において左側）の上方に、第１給送ローラー８と第２給送ローラー９とが位置する様に構成されている。
【００２５】
用紙カセット２５の底部には、揺動軸４ａを中心に揺動することにより、収容された記録用紙Ｐを押し上げるホッパー４が設けられており、このホッパー４が記録用紙Ｐを押し上げることで、収容された記録用紙Ｐのうち最上位のものが、図３に示す様に第１給送ローラー８に接触できる様になっている。従ってこの状態で第１給送ローラー８が回転（正転）することにより、用紙カセット２５から記録用紙Ｐが送り出される。図３において破線は、用紙カセット２５から送り出される記録用紙Ｐの通過軌跡を示している。
【００２６】
用紙カセット２５の用紙収容領域には、図４に示す様に収容された記録用紙Ｐの側端をガイドするエッジガイド３４Ａ、３４Ｂが、用紙幅方向にスライド変位可能に設けられており、また記録用紙Ｐの後端をガイドするエッジガイド３５が、用紙送り出し方向にスライド変位可能に設けられている。
【００２７】
用紙カセット２５において用紙送り出し方向（下流側）の端部には分離ローラー５が設けられており、用紙カセット２５が装着されると、分離ローラー５が、第２給送ローラー９と接触する。これにより、第１給送ローラー８によって送り出された記録用紙Ｐは、分離ローラー５と第２給送ローラー９との間でニップされる。
【００２８】
ここで、分離ローラー５は、所定の回転抵抗が付与された状態に設けられている。第１給送ローラー８によって送り出された記録用紙Ｐのうち最上位のものは、回転駆動される第２給送ローラー９に接するので、当該第２給送ローラー９から搬送力を受け、下流側へと進むことができる。しかしながら、給送されるべき最上位の記録用紙Ｐに連れられて重送されようとする次位以降の記録用紙Ｐは、第２給送ローラー９から搬送力を受けない為、分離ローラー５の位置で停滞し、重送が防止される。
【００２９】
用紙カセット２５における用紙収容領域を形成するカセット本体２５ａにおいて、分離ローラー５に対し用紙幅方向両側には、図４に示す様に予備分離斜面２５ｄが形成されており、用紙カセット２５から送り出された記録用紙Ｐの先端が予備分離斜面２５ｄに摺接しながら下流側に進むことで、分離ローラー５に至る前の予備的な分離が行われる様になっている。  
尚、用紙カセット２５から記録用紙Ｐが給送される際の第１給送ローラー８及び第２給送ローラー９の回転方向（正転方向）は、図２及び図３の時計回り方向であり、その逆方向は、図２及び図３の反時計回り方向である。
【００３０】
次に、第２給送ローラー９の下流側には、記録用紙Ｐを搬送する搬送ローラーとしての第１中間ローラー１１と、第２中間ローラー１２とが設けられている。第１中間ローラー１１と第２中間ローラー１２とはほぼ同径であり、ともに不図示のモーターの動力を受けて、図２及び図３の時計回り方向に回転駆動される。用紙カセット２５から送り出された記録用紙Ｐは、第１中間ローラー１１及び第２中間ローラー１２から搬送力を受けて、下流側へ搬送される。
【００３１】
尚、符号１４ａ、１４ｂは、第１中間ローラー２６との間で記録用紙Ｐをニップして従動回転する従動ローラーであり、符号１４ｃ、１４ｄは、第２中間ローラー１２との間で記録用紙Ｐをニップして従動回転する従動ローラーである。
【００３２】
続いて、第２中間ローラー１２の下流側には、回転駆動される搬送ローラー対１６が設けられており、この搬送ローラー対１６により、記録用紙Ｐが記録領域に送られる。搬送ローラー対１６の下流側には、記録用紙Ｐにインクを吐出する記録ヘッド２０と、記録用紙Ｐを支持する支持部材１８とが設けられている。記録ヘッド２０は、用紙幅方向（主走査方向）に駆動されるキャリッジ１９に設けられている。
【００３３】
支持部材１８と記録ヘッド２０とが対向可能な領域（記録領域）の下流には、第１排出ローラー対２２と第２排出ローラー対２３とが設けられており、記録の行われた記録用紙Ｐは、これら排出ローラー対によって排出される。
【００３４】
続いて図４以降を参照しつつ、用紙カセット２５について更に詳説する。用紙カセット２５は、図６〜図９に示す収容部２ａに収容（装着）される。図６〜図９において符号４６ａ、４６ｂは、それぞれ筐体２の下部を構成する下部筐体４６に形成された右側壁、左側壁であり、用紙カセット２５は、これら右側壁４６ａ、左側壁４６ｂによって着脱方向（図１９において上下方向）にガイドされる。尚、本実施形態において用紙カセット２５は、装着の際、後に説明する規制構造および押圧構造によって左側壁４６ｂ側に寄せられる。
【００３５】
先ず、用紙カセット２５の右側面を押圧する押圧構造について説明する。図８、図９において符号４８は軸４８ａを中心にして図９の時計回り方向及び反時計回り方向に回動可能なカムを示しており、このカム４８は、不図示のばねによって図９の時計回り方向に付勢されている。そして用紙カセット２５が装着された際、当該用紙カセット２５を、左側壁４６ｂに向けて押圧する。
【００３６】
より詳しくは、この押圧力は、用紙カセット２５に対して図９のＦ３で示す様に斜めに働き、即ち用紙カセット２５をスライド方向（図９上下方向）と直交する方向である第１方向（図９左方向）の成分Ｆ２と、スライド方向成分Ｆ４とを生じさせる。
【００３７】
尚、図６〜図９において符号４６ｃ、４６ｄは、下部筐体４６に形成されたストッパーである。このストッパー４６ｃ、４６ｄは、以下の様に機能する。  
先ず、用紙カセット２５が取り外される際には、図１０に示す様に用紙カセット２５の底面２５ｃに形成された段差２５ｋ（図５も参照）がストッパー４６ｃ、４６ｄに引っ掛かる。従ってこの状態から用紙カセット２５を引き抜く為には、用紙カセット２５を少し持ち上げて、用紙カセット２５を引き抜く。  
この様にカセット引き抜き時に段差２５ｋがストッパー４６ｃ、４６ｄに引っ掛かるので、カセットが意図せず一気に引き抜き方向にスライドし、その結果落下してしまうことが防止される。
【００３８】
次に、用紙カセット２５の裏側には、図５、図１１以降に示す様に弾性部材としての第１スペーサー４２が設けられている。この第１スペーサー４２には、案内斜面４２ａと、当接部４２ｂとが形成されている。
【００３９】
用紙カセット２５が装着される際、案内斜面４２ａは、カセット収容部２ａに設けられた２つのストッパー（４６ｃ、４６ｄ）のうち、左側のストッパー４６ｃと係合し、当接部４２ｂがストッパー４６ｃに当接する様に用紙カセット２５の左手前角部を案内する。
【００４０】
一方、用紙カセット２５の左側面には、左側壁４６ｂ側に突出する突起２５ｍ、２５ｎ（図４）が形成されており、図１１に示す様に用紙カセット２５の装着状態において、突起２５ｍ、２５ｎが、カセット収容部２ａの左側壁４６ｂに当接し、用紙カセット２５の位置が規定される。
【００４１】
ここで弾性部材としての第１スペーサー４２について更に説明する。第１スペーサー４２は樹脂材料により形成されており、或る程度の弾性を有している。第１スペーサー４２には図１３、図１４に示す様に凹部４２ａが形成されており、この凹部４２ａの底部において、ネジ３０によってカセット本体２５ａに固定される。符号４２ｄは、第１スペーサー４２においてネジ３０によって固定される被固定部を示している。
【００４２】
第１スペーサー４２がカセット本体２５ａに固定された状態において、当接部４２ｂの反対側とカセット本体２５ａとの間には、図１３、図１５に示す様に間隔ｄが形成されている。当接部４２ｂとネジ３０による固定位置との間には高さ方向に所定の距離がある為、第１スペーサー４２の弾性変形を介して、当接部４２ｂは間隔ｄだけ外側に動くことができる。
【００４３】
従って用紙カセット２５が装着される際、当接部４２ｂが左側のストッパー４６ｃに弾性をもって接する。この弾性力により当接部４２ｂはストッパー４６ｃから反力Ｆ１（図９、図１１、図１５）を受け、これにより用紙カセット２５の左側面手前側に形成された突起２５ｍ（図４）が、カセット収容部２ａの左側壁４６ｂに押し付けられる。
【００４４】
以上の様にして、用紙カセット２５は、装着方向奥側において押圧手段としてのカム４８によって左側壁４６ｂ側に寄せられ、装着方向手前側において当接部４２ｂとストッパー４６ｃとの係合によって左側壁４６ｂ側に寄せられる。即ち、用紙カセット２５のｘ方向及びｙ方向における装着位置が精密に規制される。また、用紙カセット２５を斜行状態で挿入しようとしても、その斜行が矯正され、結果として用紙カセット２５は用紙送り出し方向（ｙ方向）に平行となる。
【００４５】
以上説明した実施形態の構成を纏めると、記録装置の一例としてのプリンター１は、記録用紙Ｐに記録を行う記録手段としての記録ヘッド２０を収容する筐体２と、筐体２に対してスライド可能に設けられた、記録用紙Ｐを載置可能な媒体載置部としての用紙カセット２５と、を備えている。また筐体２を構成する下部筐体４６に設けられ、用紙カセット２５を収容可能な収容部２ａと、収容部２ａに設けられ、用紙カセット２５の水平面（ｘ−ｙ平面）においてスライド方向（ｙ方向）と交差する方向（ｘ方向）の位置を規制する位置規制部としてのストッパー４６ｃと、用紙カセット２５の底部に設けられ、ストッパー４６ｃに対して弾性をもって当接可能な当接部４２ｂとを備えている。
【００４６】
以上のようにストッパー４６ｃに対して弾性をもって当接可能な当接部４２ｂが、用紙カセット２５の側（底部）に設けられているので、筐体２（下部筐体４６）の側に、用紙カセット２５を付勢する手段を設ける必要がなく、従ってプリンター１のｘ方向寸法増加を防止しつつ、用紙カセット２５を適切に位置決めすることができる。
【００４７】
また本実施形態では、当接部４２ｂは、用紙カセット２５において、ストッパー４６ｃから反力を受ける方向の端部（図１５において左側）に設けられている。従って収容部２ａにおいて用紙カセット２５を寄せる側面（左側壁４６ｂ）と、当接部４２ｂとの距離を短くすることができる。従って収容部２ａにおいて用紙カセット２５を寄せる左側壁４６ｂとストッパー４６ｃとの距離も短くすることができ、下部筐体４６の部品精度を容易に確保することができる。また、当接部４２ｂに要求される弾性力を低く抑えることができ、当接部４２ｂのコストダウンに資すことができる。
【００４８】
また本実施形態では、当接部４２ｂがストッパー４６ｃから反力を受ける方向（図９においてＦ１方向）に用紙カセット２５を押圧する押圧手段としてのカム４８を収容部２ａに備える。即ちストッパー４６ｃと当接部４２ｂとによる用紙カセット２５の位置規制に加え、カム４８による用紙カセット２５の位置規制が加わることとなる為、用紙カセット２５をより確実に所定方向（本実施形態では左側壁４６ｂに寄せる方向）に位置決めすることができるとともに、用紙カセット２５を斜行状態で装着しようとしても、その斜行がより確実に矯正される。
【００４９】
また本実施形態において当接部４２ｂは、用紙カセット２５に固定される、弾性変形可能な弾性部材としての第１スペーサー４２により構成されるので、当接部４２ｂを、構造簡単にして低コストに構成することができる。
【００５０】
また本実施形態では、第１スペーサー４２は、用紙カセット２５の底面側（図１４において上側）に当接部４２ｂを備えるとともに、用紙カセット２５の高さ方向（図１４において上下方向）において当接部４２ｂが設けられた位置より高い位置（図１４において下側）において用紙カセット２５に固定される被固定部（図１４において符号４２ｄ）を有し、被固定部４２ｄと当接部４２ｂとの間の第１スペーサー４２の弾性変形により、当接部４２ｂがストッパー４６ｃに対して弾性をもって当接する。
【００５１】
この様に、用紙カセット２５の高さ方向における第１スペーサー４２の弾性変形を利用するので、用紙の平面方向（ｘ−ｙ平面方向）における用紙カセット２５の大型化を防止できる。
【００５２】
また本実施形態では、第１スペーサー４２は、用紙カセット２５を収容部２ａに収容する際に当接部４２ｂをストッパー４６ｃに案内する案内斜面４２ａを有することを特徴とする。従って用紙カセット２５を収容部２ａに収容する際に、引っ掛かりなく円滑に収容することができる。
【００５３】
以上、説明した各構成要素について、開示した内容に限定されないことは言うまでもなく、適宜変更可能であることは言うまでもない。
【符号の説明】
【００５４】
１  インクジェットプリンター、２  筐体、２ａ  収容部、４  ホッパー、５  分離ローラー、６  ローラーホルダー、８  第１給送ローラー、９  第２給送ローラー、１１  第１中間ローラー、１２  第２中間ローラー、１４ａ〜１４ｄ  従動ローラー、１６  搬送ローラー対、１８  支持部材、１９  キャリッジ、２０  記録ヘッド、２２  第１排出ローラー対、２３  第２排出ローラー対、２５  用紙カセット、２５ａ  カセット本体、２５ｂ  カセット底面、２５ｃ  カセット裏面、２５ｄ  予備分離斜面、２８  ローラー、３０  ネジ、３４Ａ、３４Ｂ  エッジガイド、３５  エッジガイド（後端）、４２  第１スペーサー、４２ａ  案内斜面、４２ｂ  当接部、４２ｃ  凹部、４２ｄ  被固定部、４６  下部筐体、４６ａ  右側壁、４６ｂ  左側壁、４６ｃ、４６ｄ  ストッパー、４８  カム、４８ａ  揺動軸、Ｐ  記録用紙
【図１】
2015147670.tif 000003
【図２】
2015147670.tif 000004
【図３】
2015147670.tif 000005
【図４】
2015147670.tif 000006
【図５】
2015147670.tif 000007
【図６】
2015147670.tif 000008
【図７】
2015147670.tif 000009
【図８】
2015147670.tif 000010
【図９】
2015147670.tif 000011
【図１０】
2015147670.tif 000012
【図１１】
2015147670.tif 000013
【図１２】
2015147670.tif 000014
【図１３】
2015147670.tif 000015
【図１４】
2015147670.tif 000016
【図１５】
2015147670.tif 000017